(57)【要約】本開示の実施例は、移動端末を開示している。前記移動端末は、本体と、ＯＬＥＤスクリーンユニットと、第１光センサーと、第２光センサーと、を含み、ＯＬＥＤスクリーンユニットは、本体の表面に設置され、ＯＬＥＤスクリーンユニットは、自発光層と、自発光層の上方に位置する光透過機能層と、を含み、自発光層には、少なくとも１つの光学的微細孔が形成され、第１光センサーと第２光センサーは、自発光層の下方且つ光学的微細孔に対応する位置に設置され、第１光路には、第１偏光板と四分の一位相差板が設置され、環境光が第１光センサーに到達する入射光路は、第１偏光板及び第２偏光板を通過し、且つ、第１偏光板と前記第２偏光板の偏光方向は互いに垂直であり、環境光が第２光センサーに到達する入射光路は、第１偏光板を通過する。本開示の実施例は、環境光の強度に対する光センサーの測定精度を向上させることができる。【選択図】図２
2022501569.tif 000002
【特許請求の範囲】
【請求項１】
本体と、ＯＬＥＤスクリーンユニットと、第１光センサーと、第２光センサーと、を含み、
前記ＯＬＥＤスクリーンユニットは、前記本体の表面に設置され、前記ＯＬＥＤスクリーンユニットは、自発光層と、前記自発光層の上方に位置する光透過機能層と、を含み、前記自発光層には、少なくとも１つの光学的微細孔が形成され、
前記第１光センサーと前記第２光センサーは、前記自発光層の下方且つ前記光学的微細孔に対応する位置に設置され、
前記自発光層が発した光線が前記光透過機能層に到達する入射光路と、前記光線が前記光透過機能層で反射される反射光路は、第１光路を構成し、前記第１光路には、第１偏光板と四分の一位相差板が設置され、
環境光が前記第１光センサーに到達する入射光路は、前記第１偏光板及び第２偏光板を通過し、且つ、前記第１偏光板と前記第２偏光板の偏光方向は互いに垂直であり、前記環境光が前記第２光センサーに到達する入射光路は、前記第１偏光板を通過する
ことを特徴とする移動端末。
【請求項２】
前記第１偏光板は、前記自発光層の上方に設置され、前記四分の一位相差板は、前記第１偏光板の上方に設置される
ことを特徴とする請求項１に記載の移動端末。
【請求項３】
前記第２偏光板は、前記第１光センサーと前記自発光層との間に設置される
ことを特徴とする請求項１に記載の移動端末。
【請求項４】
前記第１光センサーと前記第２光センサーの感光領域は重なり合っている
ことを特徴とする請求項１に記載の移動端末。
【請求項５】
前記光透過機能層は、ガラスカバー板及びタッチパネルのいずれか１つ又は複数の組み合わせを含む
ことを特徴とする請求項１に記載の移動端末。
【請求項６】
前記移動端末は、処理ユニットをさらに含み、前記処理ユニットは、
前記第１光センサーの第１測定値及び前記第２光センサーの第２測定値を取得し、
前記第２測定値と前記第１測定値の２倍との間の差を計算し、
前記差に応じて前記環境光の光強度を決定するように構成される
ことを特徴とする請求項１から請求項５のいずれか１項に記載の移動端末。
【請求項７】
本体と、ＯＬＥＤスクリーンユニットと、光センサーと、を含み、
前記ＯＬＥＤスクリーンユニットは、前記本体の表面に設置され、前記ＯＬＥＤスクリーンユニットは、自発光層と、前記自発光層の上方に位置する光透過機能層と、を含み、前記自発光層には、少なくとも１つの光学的微細孔が形成され、
前記光センサーは、前記自発光層の下方且つ前記光学的微細孔に対応する位置に設置され、
前記自発光層が発した光線が前記光透過機能層に到達する入射光路と、前記光線が前記光透過機能層で反射される反射光路は、第１光路を構成し、前記第１光路には、偏光板と四分の一位相差板が設置され、
環境光が前記光センサーに到達する入射光路は、前記光透過機能層、前記四分の一位相差板、前記偏光板及び前記光学的微細孔を通過する
ことを特徴とする移動端末。
【請求項８】
前記偏光板は、前記自発光層の上方に設置され、前記四分の一位相差板は、前記偏光板の上方に設置される
ことを特徴とする請求項７に記載の移動端末。
【請求項９】
前記光透過機能層は、ガラスカバー板及びタッチパネルのいずれか１つ又は複数の組み合わせを含む
ことを特徴とする請求項７に記載の移動端末。
【請求項１０】
処理ユニットをさらに含み、前記処理ユニットは、
前記光センサーの測定値を取得し、
前記測定値に応じて前記環境光の光強度を決定するように構成される
ことを特徴とする請求項７から請求項９のいずれか１項に記載の移動端末。
【発明の詳細な説明】
【技術分野】
【０００１】
本開示の実施例は、端末技術分野に関し、特に、移動端末に関する。
【背景技術】
【０００２】
通常、携帯電話などの移動端末には、光線の強さを感知するための光センサーが配置される。
【０００３】
関連技術において、移動端末のスクリーンの下方には、光センサーが設置される。光センサーは、移動端末のスクリーンの前方領域の環境光の強度を取得し、ユーザにより優れた視覚効果を提供するように、環境光の強度に応じてスクリーンの輝度を適応的に調整することができる。
【０００４】
しかしながら、移動端末のスクリーンがＯＬＥＤ（Ｏｒｇａｎｉｃ  Ｌｉｇｈｔ−Ｅｍｉｔｔｉｎｇ  Ｄｉｏｄｅ、有機発光ダイオード）スクリーンである場合、ＯＬＥＤスクリーンが自発光の特性を有するので、ＯＬＥＤスクリーンから発生した光強度は、環境光の強度に対する光センサーの測定精度に影響を与える。
【発明の概要】
【発明が解決しようとする課題】
【０００５】
本開示の実施例は、移動端末を提供する。本開示の技術的案は以下の通りである。
【課題を解決するための手段】
【０００６】
本開示の実施例の一態様によれば、移動端末を提供し、前記移動端末は、本体と、ＯＬＥＤスクリーンユニットと、第１光センサーと、第２光センサーと、を含み、
前記ＯＬＥＤスクリーンユニットは、前記本体の表面に設置され、前記ＯＬＥＤスクリーンユニットは、自発光層と、前記自発光層の上方に位置する光透過機能層と、を含み、前記自発光層には、少なくとも１つの光学的微細孔が形成され、
前記第１光センサーと前記第２光センサーは、前記自発光層の下方且つ前記光学的微細孔に対応する位置に設置され、
ここで、前記自発光層が発した光線が前記光透過機能層に到達する入射光路と、前記光線が前記光透過機能層で反射される反射光路は、第１光路を構成し、前記第１光路には、第１偏光板と四分の一位相差板が設置され、
環境光が前記第１光センサーに到達する入射光路は、前記第１偏光板及び第２偏光板を通過し、且つ、前記第１偏光板と前記第２偏光板の偏光方向は互いに垂直であり、前記環境光が前記第２光センサーに到達する入射光路は、前記第１偏光板を通過する。
【０００７】
選択的に、前記第１偏光板は、前記自発光層の上方に設置され、前記四分の一位相差板は、前記第１偏光板の上方に設置される。
【０００８】
選択的に、前記第２偏光板は、前記第１光センサーと前記自発光層との間に設置される。
【０００９】
選択的に、前記第１光センサーと前記第２光センサーの感光領域は重なり合っている。
【００１０】
選択的に、前記光透過機能層は、ガラスカバー板及びタッチパネルのいずれか１つ又は複数の組み合わせを含む。
【００１１】
選択的に、前記移動端末は、処理ユニットをさらに含み、前記処理ユニットは、
前記第１光センサーの第１測定値及び前記第２光センサーの第２測定値を取得し、
前記第２測定値と前記第１測定値の２倍との間の差を計算し、
前記差に応じて前記環境光の光強度を決定するように構成される。
【００１２】
本開示の実施例の他の態様によれば、移動端末を提供し、前記移動端末は、本体と、ＯＬＥＤスクリーンユニットと、光センサーと、を含み、
前記ＯＬＥＤスクリーンユニットは、前記本体の表面に設置され、前記ＯＬＥＤスクリーンユニットは、自発光層と、前記自発光層の上方に位置する光透過機能層と、を含み、前記自発光層には、少なくとも１つの光学的微細孔が形成され、
前記光センサーは、前記自発光層の下方且つ前記光学的微細孔に対応する位置に設置され、
ここで、前記自発光層が発した光線が前記光透過機能層に到達する入射光路と、前記光線が前記光透過機能層で反射される反射光路は、第１光路を構成し、前記第１光路には、偏光板と四分の一位相差板が設置される。
【００１３】
環境光が前記光センサーに到達する入射光路は、前記光透過機能層、前記四分の一位相差板、前記偏光板及び前記光学的微細孔を通過する。
【００１４】
選択的に、前記偏光板は、前記自発光層の上方に設置され、前記四分の一位相差板は、前記偏光板の上方に設置される。
【００１５】
選択的に、前記光透過機能層は、ガラスカバー板及びタッチパネルのいずれか１つ又は複数の組み合わせを含む。
【００１６】
選択的に、前記移動端末は、処理ユニットをさらに含み、前記処理ユニットは、
前記光センサーの測定値を取得し、
前記測定値に応じて前記環境光の光強度を決定するように構成される。
【発明の効果】
【００１７】
本開示の実施例に提供された技術的案によれば、以下のような技術効果が奏される。
【００１８】
自発光層の下方に２つの光センサーが設置され、本体の内部に２つの偏光板が設置されることにより、環境光は、第１偏光板及び第２偏光板によりフィルタリングされて第１光センサーに到達できなく、自発光層が発した光線は、第１偏光板及び四分の一位相差板によりフィルタリングされて第１光センサー及び第２光センサーに到達できなく、第２光センサーは、環境光の強度及び自発光層から漏れた光強度を取得でき、第１光センサーは、自発光層から漏れた光強度しか取得できない。２つの光センサーの測定値に応じて計算して環境光の強度が得られ、環境光の強度の測定精度に対する自発光層が発した光線の影響を効果的に低減し、これにより、環境光の強度に対する光センサーの測定精度を向上させることができる。
【図面の簡単な説明】
【００１９】
以下、本開示の実施例に係る技術案をより明確に説明するために、実施例の記載に使用する必要がある図面に対して簡単に紹介する。なお、以下の記載における図面はただ本開示の一部の実施例に過ぎず、当業者の場合、創造的な労働を付与しない前提で、これらの図面によって他の図面を得ることができる。
【図１】一例示的な実施例に係る移動端末の模式図である。
【図２】一例示的な実施例に係る光路設計の模式図である。
【図３】一例示的な実施例に係るＯＬＥＤスクリーンユニットの構造の模式図である。
【図４】他の一例示的な実施例に係る光路設計の模式図である。
【図５】一例示的な実施例に係る電界ベクトルの端点の軌跡の模式図である。
【発明を実施するための形態】
【００２０】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施例に記載の実施形態は、本開示と一致する全ての実施形態を代表するものではない。逆に、それらは、添付の特許請求の範囲に記載されているように、本開示の一部の側面に一致する装置及び方法の例に過ぎない。
【００２１】
図１及び図２を参照すると、移動端末の構造の模式図は例示的に示されている。移動端末は、本体１０と、ＯＬＥＤスクリーンユニット１１と、第１光センサー１２と、第２光センサー１３と、を含む。
【００２２】
本体１０は、ボディとも呼ばれ、移動端末の本体フレームである。本体１０は、一般的に、６面体の形状をなし、この６面体の稜又は角の一部に弧状面取りが形成されてもよい。本体１０の正面は、一般的に、丸みを帯びた矩形又は直角を帯びた矩形をなす。
【００２３】
ＯＬＥＤスクリーンユニット１１は、本体１０の表面に設置される。選択的に、ＯＬＥＤスクリーンユニット１１は、本体１０の正面に設置される。いくつかの他の実施例において、ＯＬＥＤスクリーンユニット１１は、本体１０の裏面又は側面に設置されてもよく、本開示の実施例は、本体１０におけるＯＬＥＤスクリーンユニット１１の設置位置に対して限定しない。
【００２４】
本実施例において、第１光センサー１２及び第２光センサー１３の２つの光センサーを設置することにより、この２つの光センサーの測定値を計算して、環境光の測定精度に対するＯＬＥＤスクリーンから発生した光強度の影響を解消し、環境光の測定精度を向上させる。
【００２５】
図２に示すように、ＯＬＥＤスクリーンユニット１１は、自発光層１１１と、自発光層１１１の上方に位置する光透過機能層１１２と、を含み、自発光層１１１には、少なくとも１つの光学的微細孔１１３が形成される。図２は、単に自発光層１１１に１つの光学的微細孔１１３が形成された場合を例に挙げたが、本開示の実施例は、光学的微細孔１１３の数に対して限定しない。
【００２６】
自発光層１１１とは、ＯＬＥＤスクリーンユニット１１において自発光の特性を持つ層を指す。自発光層１１１は、有機発光層とも呼ばれ、有機発光材料から作製される。自発光層１１１の発光原理は以下の通りである。印加電圧の駆動によって、正孔と電子は、それぞれ正極と負極から自発光層１１１に注入され、自発光層１１１で互いに出会って再結合し、エネルギーを放出し、このエネルギーを有機発光材料の分子に伝達して基底状態から励起状態へ遷移させ、励起状態が非常に不安定であるので、励起分子は励起状態から基底状態に戻り、放射遷移により発光現象を発生させる。
【００２７】
光透過機能層１１２とは、ＯＬＥＤスクリーンユニット１１において光透過性能を持つ層を指し、即ち、光透過機能層１１２の光透過率は０より大きい。光透過率とは、媒体（例えば本開示の実施例における光透過機能層１１２）を透過する光束が入射光束に占める割合を指す。光透過率は、透過率とも呼ばれる。選択的に、光透過機能層１１２の光透過率は、予め設定の閾値より大きい。例えば、光透過機能層１１２の光透過率は３０％より大きい。光透過機能層１１２は、例えばガラス、光透過性インク又は光透過性プラスチックなどの光透過性材料から作製されてもよい。
【００２８】
選択的に、光透過機能層１１２は、ガラスカバー板及びタッチパネルのいずれか１つ又は複数の組み合わせを含む。ガラスカバー板は、移動端末の内部構造を保護する機能を備え、タッチパネルは、ユーザのタッチ操作（クリック、スライド、押圧などの操作）を受信する機能を備える。
【００２９】
光学的微細孔１１３とは、光透過機能を有し、自発光層１１１を上下に貫通する貫通孔を指す。選択的に、光学的微細孔１１３は、ミクロンレベル又はそれ以下のレベルの貫通孔である。即ち、この光学的微細孔１１３は、肉眼では見えない貫通孔である。
【００３０】
選択的に、図３に示すように、ＯＬＥＤスクリーンユニット１１は、金属陰極層１１５と、電子伝送層１１６と、正孔伝送層１１７と、ＩＴＯ（Ｉｎｄｉｕｍ  Ｔｉｎ  Ｏｘｉｄｅ、酸化インジウム錫）陽極層１１８と、をさらに含む。ここで、上記のＯＬＥＤスクリーンユニット１１の階層構造において、ＩＴＯ陽極層１１８は最上層にあり、正孔伝送層１１７はＩＴＯ陽極層１１８の下方にあり、自発光層１１１は正孔伝送層１１７の下方にあり、電子伝送層１１６は、自発光層１１１の下方にあり、金属陰極層１１５は、電子伝送層１１６の下方に位置する。上記の金属陰極層１１５とＩＴＯ陽極層１１８は、電源に接続され、ＯＬＥＤスクリーンユニット１１は、電源投入後、その金属陰極層１１５に電子が発生し、そのＩＴＯ陽極層１１８に正孔が発生し、電界の力によって、電子は電子伝送層１１６を通過し、正孔は正孔伝送層１１７を通過し、自発光層１１１に到達し、電子が正電荷を持ち、正孔が負電荷を持つので、電子と正孔はクーロン力によって互いに引き合って、束縛状態になって励起子を形成し、励起子は、発光分子が励起状態になるように発光分子を励起し、光エネルギーを放出して透明な正孔伝送層１１７及びＩＴＯ陽極層１１８を透過させて、ＯＬＥＤスクリーンユニット１１のスクリーン光が形成される。
【００３１】
本実施例において、図２に示すように、第１光センサー１２と第２光センサー１３は、自発光層１１１の下方且つ光学的微細孔１１３に対応する位置に設置される。第１光センサー１２が光学的微細孔１１３に対応することは、自発光層１１１に垂直な方向における第１光センサー１２と光学的微細孔１１３の投影が重なり合っていることを意味する。第２光センサー１３が光学的微細孔１１３に対応することは、自発光層１１１に垂直な方向における第２光センサー１３と光学的微細孔１１３の投影が重なり合っていることを意味する。第１光センサー１２は、自発光層１１１から漏れた光強度しか取得できない。第２光センサー１３は、その感知範囲（例えばＯＬＥＤスクリーンの前方領域）内の環境光の強度及び自発光層１１１から漏れた光強度を取得することができる。
【００３２】
光センサーの動作原理は、以下の通りである。光センサーは、受信された光線信号を電流信号に変換するが、この電流信号が比較的弱いので、ＣＡ（Ｃｕｒｒｅｎｔ  Ａｍｐｌｉｆｉｅｒ、電流増幅器）によりこの電流信号を増幅して増幅された電流を出力し、増幅された電流信号に雑音が含まれる場合、この電流信号をフィルタリングした後、接地抵抗により電流信号を電圧信号に変換し、デジタル・アナログ変換モジュールにより変換された電圧信号に対してＡＤＣ（Ａｎａｌｏｇ−ｔｏ−Ｄｉｇｉｔａｌ  Ｃｏｎｖｅｒｔｅｒ、アナログ・デジタル変換器）信号を収集し、且つ、バスインターフェイスとロジック制御によりＡＤＣ信号をＡＰ（Ａｐｐｌｉｃａｔｉｏｎ  Ｐｒｏｃｅｓｓｏｒ、アプリケーションプロセッサ）に入力し、ＡＰは、バス制御によりＩＣ（Ｉｎｔｅｇｒａｔｅｄ  Ｃｉｒｃｕｉｔ、集積回路）を配置し、ＩＣの積分時間やオペアンプの利得などのパラメータを向上させ、光線情報の収集及び変換を実現する。
【００３３】
本実施例において、図２に示すように、自発光層１１１が発した光線が光透過機能層１１２に到達する入射光路と、光線が光透過機能層１１２で反射される反射光路は、第１光路を構成し、第１光路には、第１偏光板１４と四分の一位相差板１５が設置される。
【００３４】
四分の一位相差板１５は、四分の一波長板とも呼ばれる。四分の一位相差板１５は、互いに垂直な方向に振動する２つの光線の間にπ／２の位相差を発生させ、一般的に、正確な厚さを有する石英、方解石又はマイカなどの複屈折ウェハから構成され、その光軸は、ウェハの表面に垂直である。直線偏光が四分の一位相差板１５を通過すると、円偏光又は楕円偏光となり得る。
【００３５】
環境光１が第１光センサー１２に到達する入射光路は、第１偏光板１４及び第２偏光板１６を通過し、且つ、第１偏光板１４と前記第２偏光板１６の偏光方向は互いに垂直である。第１偏光板１４と第２偏光板１６の偏光方向が互いに垂直であるので、環境光は、第１偏光板１４及び第２偏光板１６によりフィルタリングされて第１光センサー１３に到達できない。環境光が第２光センサー１３に到達する入射光路は、第１偏光板１４を通過する。
【００３６】
選択的に、第１偏光板１４は、自発光層１１１の上方に設置され、四分の一位相差板１５は、第１偏光板１４の上方に設置される。自発光層１１１が発した光線が第１偏光板１４を通過すると、振動方向が第１偏光板１４の偏光方向と一致する光線は残って四分の一位相差板１５を通過した後、反射光線の振動方向はπ／２変化し、振動方向が変化した光は、光透過機能層１１２で反射されて反射光線を形成し、反射光線は、四分の一位相差板１５を通過した後、反射光線の振動方向はπ／２変化する。上記の振動方向が２回変化した後、第１偏光板１４に到達する光線は、その振動方向が第１偏光板１４の偏光方向に垂直であるので、第１偏光板１４によってフィルタリングされ、このため、自発光層１１１が発した光線は、第１光センサー１２に到達することができない。光強度は、マリュスの法則Ｉ（θ）＝Ｉ（０）ｃｏｓ２（θ）によって計算されてもよい。ここで、Ｉ（θ）が光強度を表し、Ｉ（０）が元の光強度を表し、θが光線の振動方向と偏光板の偏光方向の間の角度を表し、第１偏光板１４及び四分の一位相差板１５を通過してから第２光センサー１３に達する環境光は、元の環境光の四分の一に過ぎない。
【００３７】
選択的に、第２偏光板１６は、第１光センサー１２と自発光層１１１との間に設置される。環境光は、第１偏光板１４及び第２偏光板１６によりフィルタリングされて第１光センサー１２に到達できなく、自発光層１１１から漏れた光線が第２偏光板１６を通過すると、振動方向が第２偏光板１６の偏光方向と一致する光だけが残るので、第１光センサー１２が受信した光線は、自発光層１１１から漏れた光強度の半分となる。例示的に、第２偏光板１６は、第１光センサー１２の感光面側に貼り付けられたＰＥＴ（Ｐｏｌｙｅｔｈｙｌｅｎｅｔｔｈａｌａｔｅ、ポリエチレンテレフタレート）フィルムであってもよく、例えば、第１光センサー１２が複数の感光ユニットからなるアレイである場合、上記の複数の感光ユニットに第１偏光フィルム１４の偏光方向に垂直なＰＥＴフィルムを１層めっきすることにより、第２偏光板１６が形成される。
【００３８】
選択的に、第１光センサー１２と第２光センサー１３の感光領域は重なり合っている。第１光センサー１２の感光領域とは、第１光センサー１２が光強度を測定する領域を指し、第２光センサー１３の感光領域とは、第２光センサー１３が光強度を測定する領域を指す。自発光層１１１が画像を表示する時に異なる領域が異なる表示パラメータを有することを考慮すると、第１光センサー１２及び第２光センサー１３の感光領域が相補的に重なり合っている場合、両者が実際に受信した自発光層１１１から漏れた光線の強度が異なるおそれがあり、第１光センサー１２と第２光センサー１３の感光領域を重なり合わせることにより、第１光センサー１２と第２光センサー１３が受信した自発光層１１１から漏れた光線の強度を均一にでき、これにより、最終的に測定された環境光の強度はより正確になる。第１光センサー１２と第２光センサー１３の感光角度は一般的に１２０°であり、第１光センサー１２を第２光センサー１３に隣接して配置することにより、第１光センサー１２と第２光センサー１３の感光領域を可能な限り重なり合わせることができる。
【００３９】
選択的に、移動端末は、処理ユニットをさらに含み、前記処理ユニットは、第１光センサー１２の第１測定値及び第２光センサー１３の第２測定値を取得し、第２測定値と第１測定値の２倍との間の差を計算し、その差に応じて環境光の光強度を決定するように構成される。
【００４０】
偏光板の位置が図２に示すものである場合、第１測定値は、自発光層１１１から漏れる光線の光強度の半分であり、第２測定値は、環境光の光強度の四分の一と、自発光層１１１から漏れた光線の光強度との合計値であり、このため、第２測定値から第１測定値の２倍を引いたものを４で乗じることにより、環境光の光強度が得られる。例えば、第２測定値が１０であり、第１測定値が３であると仮定すれば、環境光の光強度は（１０−２＊３）＊４＝１６となる。
【００４１】
なお、移動端末は、処理ユニットが計算した環境光の光強度に応じてスクリーンの輝度を調整してもよいし、差に応じてスクリーンの輝度を直接に調整してもよい。
本実施例において、第１偏光板１４と四分の一位相差板１５は、ＯＬＥＤスクリーンが提供するものであってもよく、別途設置されるものであってもよい。第２偏光板１６は、別途設置されるものであってもよい。
【００４２】
つまり、本開示の実施例で提供される技術的案において、自発光層の下方に２つの光センサーが設置され、本体の内部に２つの偏光板が設置されることにより、環境光は、第１偏光板及び第２偏光板によりフィルタリングされて第１光センサーに到達できなく、自発光層が発した光線は、第１偏光板及び四分の一位相差板によりフィルタリングされて第１光センサー及び第２光センサーに到達できなく、第２光センサーは、環境光の強度及び自発光層から漏れた光強度を取得でき、第１光センサーは、自発光層から漏れた光強度しか取得できない。２つの光センサーの測定値に応じて計算して環境光の強度が得られ、環境光の強度の測定精度に対する自発光層が発した光線の影響を効果的に低減し、これにより、環境光の強度に対する光センサーの測定精度を向上させることができる。
【００４３】
図１及び図４を参照すると、他の移動端末の構造の模式図は例示的に示されている。この移動端末は、本体１０と、ＯＬＥＤスクリーンユニット１１と、光センサー２２と、を含む。
【００４４】
本体１０は、ボディとも呼ばれ、移動端末の本体フレームである。本体１０は、一般的に、６面体の形状をなし、この６面体の稜又は角の一部に弧状面取りが形成されてもよい。本体１０の正面は、一般的に、丸みを帯びた矩形又は直角を帯びた矩形をなす。
【００４５】
ＯＬＥＤスクリーンユニット１１は、本体１０の表面に設置される。選択的に、ＯＬＥＤスクリーンユニット１１は、本体１０の正面に設置される。いくつかの他の実施例において、ＯＬＥＤスクリーンユニット１１は、本体１０の裏面又は側面に設置されてもよく、本開示の実施例は、本体１０におけるＯＬＥＤスクリーンユニット１１の設置位置に対して限定しない。
【００４６】
光センサー２２は、その感知範囲（例えばＯＬＥＤスクリーンの前方領域）内の環境光の強度を取得することができる。選択的に、移動端末は、ユーザにより優れた視覚効果を提供するように、環境光の強度に応じてスクリーンの輝度を適応的に調整する。
【００４７】
図４に示すように、ＯＬＥＤスクリーンユニット１１は、自発光層２１１と、自発光層２１１の上方に位置する光透過機能層２１２と、を含み、自発光層２１１には、少なくとも１つの光学的微細孔２１３が形成される。
【００４８】
自発光層２１１とは、ＯＬＥＤスクリーンユニット２１において自発光の特性を持つ層を指す。自発光層２１１は、有機発光層とも呼ばれ、有機発光材料から作製される。自発光層２１１の発光原理は以下の通りである。印加電圧の駆動によって、正孔と電子はそれぞれ正極と負極から自発光層２１１に注入され、自発光層２１１で互いに出会って再結合し、エネルギーを放出し、このエネルギーを有機発光材料の分子に伝達して基底状態から励起状態へ遷移させ、励起状態が非常に不安定であるので、励起分子は、励起状態から基底状態に戻り、放射遷移により発光現象を発生させる。
【００４９】
光透過機能層２１２とは、ＯＬＥＤスクリーンユニット２１において光透過性能を持つ層を指し、即ち、光透過機能層２１２の光透過率は０より大きい。光透過率とは、媒体（例えば本開示の実施例における光透過機能層２１２）を透過する光束が入射光束に占める割合を指す。光透過率は、透過率とも呼ばれる。選択的に、光透過機能層２１２の光透過率は、予め設定の閾値より大きく、例えば、光透過機能層２１２の光透過率は３０％より大きい。光透過機能層２１２は、例えばガラス、光透過性インク又は光透過性プラスチックなどの光透過性材料から作製されてもよい。
【００５０】
選択的に、光透過機能層２１２は、ガラスカバー板及びタッチパネルのいずれか１つ又は複数の組み合わせを含む。ガラスカバー板は、移動端末の内部構造を保護する機能を備え、タッチパネルは、ユーザのタッチ操作（クリック、スライド、押圧などの操作）を受信する機能を備える。
【００５１】
光学的微細孔２１３とは、光透過機能を有し、自発光層１１１を上下に貫通する貫通孔を指す。選択的に、光学的微細孔１１３は、ミクロンレベル又はそれ以下のレベルの貫通孔である。即ち、光学的微細孔１１３は、肉眼では見えない貫通孔である。
【００５２】
本実施例において、図４に示すように、光センサー２２は、自発光層２１１の下方且つ光学的微細孔２１３に対応する位置に設置される。
【００５３】
光センサー２２は、光学的微細孔２１３に対応する位置に配置され、光学的微細孔２１３が光透過性能を持つので、環境光が光学微細孔２１３を透過して光センサー２２に到達できることが確保される。
【００５４】
自発光層２１１が光透過機能層２１２の下方に位置するので、自発光層２１１が発した光線が光透過機能層２１２に到達してから、反射光線が発生する。この反射光線は光センサー２２により受信されて環境光の強度に対する光センサー２２の測定精度に影響を与えるおそれがある。本実施例において、図５に示すように、自発光層２１１が発した光線が光透過機能層２１２に到達する入射光路と、この光線が光透過機能層２１２で反射される反射光路は、第１光路を構成する。第１光路には、偏光板２３及び四分の一位相差板２４が設置される。
【００５５】
偏光板２３は、特定方向（偏光方向）に偏光した光波だけに限って通過させる光学フィルターであり、即ち、入射光を遮断及び透過する機能を有する。光波が偏光板２３を通過すると、直交する偏光成分の一方が偏光板２３に強く吸収されるが、他方の成分が弱く吸収されるので、偏光板２３は、入射光、複合光又は単色光を直線偏光に変換することができる。本実施例において、第１光路に少なくとも１つの偏光板２３が設置され、偏光板２３が入射光路及び／又は反射光路における振動方向が偏光板２３の偏光方向に垂直な光強度を吸収できることにより、光センサー２２が受信した自発光層２１１が発した光強度を低減し、光センサー２２の測定精度に対するＯＬＥＤスクリーンから発生した光強度の影響を低下させ、光センサー２２の測定精度を向上させる。
【００５６】
環境光が光センサー２２に到達する入射光路は、光透過機能層２１２、四分の一位相差板２４、偏光板２３及び光学的微細孔２１３を通過する。
【００５７】
選択的に、偏光板２３は、自発光層２１１の上方に設置され、四分の一位相差板２４は、偏光板２３の上方に設置される。
【００５８】
移動端末は、処理ユニットをさらに含み、前記処理ユニットは、光センサー２２の測定値を取得し、その測定値に応じて環境光の光強度を決定するように構成される。実施例において、環境光の光強度は、光センサー２２の測定値の４倍である。
【００５９】
なお、移動端末は、処理ユニットが計算した環境光の光強度に応じてスクリーンの輝度を調整してもよいし、光センサー２２の測定値に応じてスクリーンの輝度を調整してもよい。
【００６０】
また、本実施例において、偏光板２３は、ＯＬＥＤスクリーンが提供するものであってもよく、別途設置されるものであってもよい。
【００６１】
つまり、本開示の実施例で提供される技術的案において、第１光路に偏光板が設置されることにより、偏光板２３が入射光路及び／又は反射光路における振動方向が偏光板２３の偏光方向に垂直な光強度を吸収でき、光線が四分の一位相差板を２回通過しててから偏光方向が変化できるので、光センサーは、自発光層が発した光強度を受信できなく、光センサーに対する自発光層が発した光線の影響を効果的に低減し、これにより、環境光の強度に対する光センサーの測定精度を向上させることができる。
【００６２】
以下、光の偏光について説明する。
【００６３】
光は、電磁波且つ横波であり、即ち、光の電界と磁界の方向は、光の伝送方向に垂直である。そこで、ｚ軸方向に伝播する電磁波がＥｘ及びＥｙからなると仮定すれば、
2022501569.tif 000003
ここで、
2022501569.tif 000004
が自発光層が発した光線を表し、
2022501569.tif 000005
が環境光を表し、
2022501569.tif 000006
がｘ軸の単位ベクトルを表し、
2022501569.tif 000007
がｙ軸の単位ベクトルを表し、
2022501569.tif 000008
がｘ軸の振動成分を表し、
2022501569.tif 000009
がｙ軸の振動成分を表し、φ１ｘ、φ２ｘがｘ軸の振動成分の位相を表し、φ１ｙ、φ２ｙがｙ軸の振動成分の位相を表し、Ｅ０ｘがｘ成分の振幅を表し、Ｅ０ｙがｙ成分の振幅を表し、β１、α１が電磁波の移動速度を表し、Ｅ０ｘがｘ軸の振動成分の最大振幅を表し、Ｅ０ｙがｙ軸の振動成分の最大振幅を表す。
【００６４】
式（１）を実部で乗じて、電磁波のｘ軸とｙ軸の振動瞬時成分を展開して、自発光層が発した光線のｘ軸とｙ軸成分及び環境光のｘ軸とｙ軸成分が得られる。
Ｅoledx（ｔ）＝Ｅ０ｘｃｏｓ（ωαｔ＋β１ｚ＋φ１ｘ）
Ｅoledy（ｔ）＝Ｅ０ｙｃｏｓ（ωαｔ＋β１ｚ＋φ１ｙ）      （２）
ここで、Ｅoledx（ｔ）が自発光層が発した光線のｘ軸成分を表し、Ｅoledy（ｔ）が自発光層が発した光線のｙ軸成分を表し、ω０が角周波数を表す。
【００６５】
Ｅambientx（ｔ）＝Ｅ０ｘｃｏｓ（ωαｔ＋α１ｚ＋φ２ｘ）
Ｅambienty（ｔ）＝Ｅ０ｙｃｏｓ（ωαｔ＋α１ｚ＋φ２ｙ）      （３）
ここで、Ｅambientx（ｔ）が環境光のｘ軸成分を表し、Ｅambienty（ｔ）が環境光のｙ軸成分を表し、ωαが角周波数を表す。
【００６６】
式（２）においてｚ＝０時の関数式により電磁波の振動を解析して、式（４）が得られる。
Ｅoledx（ｔ）＝Ｅ０ｘｃｏｓ（ωαｔ＋φ１ｘ）
Ｅoledy（ｔ）＝Ｅ０ｙｃｏｓ（ωαｔ＋φ１ｙ）      （４）
【００６７】
式（３）においてｚ＝０時の関数式により電磁波の振動を解析して、式（５）が得られる。
Ｅambientx（ｔ）＝Ｅ０ｘｃｏｓ（ωαｔ＋φ２ｘ）
Ｅambienty（ｔ）＝Ｅ０ｙｃｏｓ（ωαｔ＋φ２ｙ）      （５）
Ｅｘ（ｔ）とＥｙ（ｔ）の位相は、必ずしも同一ではなく、特に外界の自然光については電磁波の位相が異なり、実際の光波
2022501569.tif 000010
は、時間（ｔ）及び空間（ｘ、ｙ、ｚ）によって変化し、即ち、
2022501569.tif 000011
であり、
2022501569.tif 000012
は、光波の電界強度ベクトルの配向が経時的に変化する傾向を表し、その軌跡は、電界強度ベクトルの端点の経時変化曲線により記述され、光波の伝播方向、即ちｚ軸の伝播方向に沿って見ると、その端点が直線的に振動する光波は直線偏光であり、その軌跡が円である場合、円偏光と呼ばれ、ｘ軸とｙ軸成分の位相差Δφ＝φｙ−φｘに応じて、直線偏光であるか又は円偏光であるかを区別することができる。
【００６８】
式（４）における変数ω０ｔを削除して、次の式が得られる。
Ｅｘ２（ｔ）／Ｅ０ｘ２−２（Ｅｘ（ｔ）Ｅｙ（ｔ））ｃｏｓ（Δφ）／（Ｅ０ｘＥ０ｙ）
＋Ｅｙ２（ｔ）／Ｅ０ｙ２＝ｓｉｎ（Δφ）２        （６）
Δφ＝φｙ−φｘ＝ｎπ、ｎ＝０、１、２、３……である場合、光波偏光は直線偏光となり、電界ベクトルＥの端点の軌跡は直線となる。
【００６９】
Δφ＝φｙ−φｘ＝ｎπ／２、ｎ＝２ｋ＋１、ｋ＝１、２、３、４、５……である場合、光波偏光は円偏光となり、この時、式（６）は、次の式となる。
Ｅｘ２（ｔ）／Ｅ０ｘ２＋Ｅｙ２（ｔ）／Ｅ０ｙ２＝１      （７）
Ｅ０ｘ＝Ｅ０ｙである場合、光波偏光は円偏光となり、ｚ軸の方向から見ると、電界ベクトルＥの端点の軌跡は円周となる。
【００７０】
Ｅ０ｘ≠Ｅ０ｙである場合、光波偏光は楕円偏光となり、ｚ軸の方向から見ると、電界ベクトルＥの端点の軌跡は楕円となる。図５に示すように、電界ベクトルの端点の軌跡の模式図が示されている。図５の太線は、電界ベクトルの端点の軌跡を表す。図５の左側の画像は直線偏光を表し、その中間の画像は楕円偏光を表し、その右側の画像は円偏光を表す。
上記の導出及び理論的分析に基づいて、第１光路に少なくとも１つの偏光板が設置されることにより、自発光層が発した光線の光センサーへの影響を効果的に低減することができる。
【００７１】
結晶は、異方性という属性を有し、異方性結晶に入射した光波は、振動方向が垂直で位相速度が不等な偏光に分解され、位相速度の違いは、２種類の光波の屈折率の違いによるものであり、屈折率の違いは、結晶の誘電率の違いによるものであり、屈折率は、誘電率の平方根に等しい。
【００７２】
異方体に入射した電磁波は、電界の振動方向が互いに垂直な光波、即ちｏ光とｅ光に分解され、ｏ光は通常光と呼ばれ、ｅ光は異常光と呼ばれ、結晶の各方向におけるｏ光の位相速度は同一であり、異なる方向におけるｅ光の位相速度は異なる。
【００７３】
ＯＬＥＤスクリーンの偏光板の厚さをＬ、結晶を通過するｏ光の光路をＬ、その波ベクトルをＫ０＝２πｎ０／λ、ｅ光の光路をＬとすれば、その波ベクトルはＫｅ＝２πｎｅ／λとなり、両者の位相差はφ＝２π（ｎｅ−ｎ０）／λとなり、ｎｅ−ｎ０及びλを調整して四分の一波長の変化を実現し、これにより、直線偏光は円偏光又は楕円偏光となる。
【００７４】
理解すべきことは、本文に記載されている「複数個」は、２つ又は２つ以上を指す。「及び／又は」は、関連対象の関連関係を説明し、これは３つの関係が存在する。例えば、Ａ及び／又はＢは、Ａが単独で存在するか、ＡとＢが同時に存在するか、Ｂが単独で存在する３つの状況を示すことができ、文字「／」は、一般的に、前後に関連付けられた対象が「又は」の関係であることを表す。
【００７５】
当業者は、明細書に対する理解、及び明細書に記載された本開示に対する実施を介して、本開示の他の実施形態を容易に取得することができる。本願は、本開示に対する任意の変形、用途、又は適応的な変化を含み、このような変形、用途、又は適応的な変化は、本開示の一般的な原理に従い、本開示では開示していない本技術分野の公知知識、又は通常の技術手段を含む。明細書及び実施例は、単に例示的なものであって、本開示の本当の範囲と主旨は、以下の特許請求の範囲により示される。
【００７６】
本開示は、上記で記述され、図面で図示した特定の構成に限定されず、その範囲を離脱しない状況で、様々な修正や変更を実施してもよい。本開示の範囲は、添付される特許請求の範囲のみにより限定される。
【図１】
2022501569.tif 000013
【図２】
2022501569.tif 000014
【図３】
2022501569.tif 000015
【図４】
2022501569.tif 000016
【図５】
2022501569.tif 000017
【国際調査報告】
2022501569.tif 000018
2022501569.tif 000019
2022501569.tif 000020
2022501569.tif 000021